(57)【要約】【課題】本発明は、このような人工呼吸器用の管内を流れる気体の流量測定において、超音波式の流量計を採用して、流路内への突出物をなくし圧力損失を少なくすると同時に、応答性の優れた流量計を提供するものである。【解決手段】本発明は、人工呼吸器用流量計において、流量測定方式として超音波方式を採用し、超音波送受波器を流路内に突出させない構造の流量測定装置とした。そして、対向する一対の超音波送受波器を正対する位置から若干ずらして配置することにより送受信される超音波が超音波送受波器間で多重反射を多く繰り返さないで、残響を速やかに収束できる構造とした。また、送受信機を２系統配備し、これらを交互送信することにより繰り返し周期を短くできるようにした。さらに、超音波送受波器を患者の口元に近い分岐管で二対配置し、吸気流量、呼気流量ともに正確に測定できるようにした。【選択図】図１
2009058444.tif 000002
【特許請求の範囲】
【請求項１】
人工呼吸器の呼気または吸気用の配管中に組み込まれる流量計に於いて、
（ａ）測定管流路の上流側と下流側に流路内に突出しないように対向させて配置された一対の超音波送受波器ＳＵ，ＳＤと、
（ｂ）上流側超音波送受波器ＳＵから超音波を流路に放射してから該超音波が下流側超音波送受波器ＳＤに到達するまでの超音波伝搬時間ｔＤと、下流側超音波送受波器ＳＤから超音波を流路に放射してから該超音波が上流側超音波送受波器ＳＵに到達するまでの超音波伝搬時間ｔＵとを測定する手段と、
（ｃ）測定された伝搬時間ｔＵ、ｔＤとを用いて流路を流れる流体の流量を算出する手段と、
（ｄ）算出された流量の値を人工呼吸器等に出力する手段とからなり、
（ｅ）かつ対向する一対の超音波送受波器を、互いの超音波送受波面が正対する角度から５°以内の角度δをなすように向かい合わせて配置されたことを特徴とする人工呼吸器用流量計。
【請求項２】
（ａ）超音波送受波器を駆動する送信回路と、超音波送受波器が受信した信号を増幅する受信回路とを２系統設置し、
（ｂ）一方の系統の送信回路ＴＤと受信回路ＲＵは上流側の超音波送受波器ＳＵに接続され、
（ｃ）他方の系統の送信回路ＴＵと受信回路ＲＤは下流側の超音波送受波器ＳＤに接続され、
（ｄ）送信回路ＴＤ、ＴＵは専ら該超音波送受波器ＳＵ、ＳＤをそれぞれ駆動し
（ｅ）受信回路ＲＵ、ＲＤは専ら該超音波送受波器ＳＵ、ＳＤからの信号をそれぞれ増幅し、
（ｆ）送信回路ＴＤ、ＴＵが超音波送受波器ＳＵ、ＳＤを一定周期で交互にそれぞれを駆動することを特徴とする人工呼吸器用流量計。
【請求項３】
請求項２に記載した超音波流量計において、受信回路ＲＵ、ＲＤを、それぞれ超音波送受波器ＳＵ、ＳＤの一体的直後に設置し、かつそれぞれの受信回路に感度調整機能を付加したことを特徴とする人工呼吸器用流量計。
【請求項４】
人工呼吸器の呼気または吸気用の配管中に組み込まれる流量計に於いて、
（ａ）呼気用管路と吸気用管路と患者の気道や口腔に誘導する気道誘導用管路とを分岐する分岐管と
（ｂ）分岐管内に流路内に突出しないように対向させて配置された二対の超音波送受波器、すなわちＳＩＵ，ＳＩＤおよびＳＥＵ，ＳＥＤと、
（ｃ）二対の超音波送受波器の中で、一方の対は吸気用管路側の超音波送受波器ＳＩＵと気道誘導用管路側の超音波送受波器ＳＩＤとで構成され、
（ｄ）他方の対は呼気用管路側の超音波送受波器ＳＥＤと気道誘導用管路側の超音波送受波器ＳＥＵとで構成され、
（ｅ）それぞれの対で上流側超音波送受波器ＳＩＵ、ＳＥＵから超音波を流路に放射してから該超音波が下流側超音波送受波器ＳＩＤ、ＳＥＤに到達するまでの超音波伝搬時間ｔＩＤ、ｔＥＤと下流側超音波送受波器ＳＩＤ、ＳＥＤから超音波を流路に放射してから該超音波が上流側超音波送受波器ＳＩＵ、ＳＥＵに到達するまでの超音波伝搬時間ｔＩＵ、ｔＥＵとを測定する手段と、
（ｆ）測定された２組の伝搬時間ｔＩＵｔＩＤ、ｔＥＵｔＥＤとを用いて吸気用管路から気道誘導用管路に流れる流体の流量ＱＩと気道誘導用管路から呼気用管路に流れる流体の流量ＱＥを算出する手段と、
（ｇ）求められた流量ＱＩ、ＱＥの値を人工呼吸器等に出力する手段とからなり、
（ｈ）対向する該二対の超音波送受波器を、互いの超音波送受波面が正対する角度から若干それた角度δをなすように向かい合わせて配置され、
（ｉ）分岐管の位置に流量計を2系統配置し、吸気流量ＱＩと呼気流量ＱＥを口元で同時に測定できることを特徴とする人工呼吸器用流量計。
【発明の詳細な説明】
【技術分野】
【０００１】
本発明は、医療の分野において、特に人工呼吸器用の管内を流れる気体の流量を測定する装置に関する。
【背景技術】
【０００２】
人工呼吸器は、新生児から老人まで、特に呼吸が不調になっている緊急性の高い患者に対して用いられる医療器である。近年の人工呼吸器の発展は目覚しく、人工呼吸器を用いることによって生ずる肺損傷などの危険性を著しく低下させることに成功している。そのような人工呼吸器にあっては、従来から計測されてきた気道内圧力の計測管理だけではなく、吸気、呼気の流量も計測管理されている。
【０００３】
人工呼吸器用の管内を流れる気体用の流量計としては、熱線式流量計が多く用いられている。熱線式流量計は小型で応答性が良好でダイナミックレンジが広いのが特長である。
しかし、熱線式の場合は流路内にセンサである熱線部が突出しており、センサが呼気によって汚れたり細菌が付着したりする。
また、管内に突出物が存在することにより管内で圧力損失を生じやすく、患者に呼吸負担をかけることになるので好ましくない。
【０００４】
一方、産業用、特に半導体製造工場などで使用されている気体用の超音波流量計は、流路内に突出物がないので圧力損失やセンサ部の汚れの課題を克服できる（特許文献１を参照）が、安定した流量を観測する場合に使用されることが多く、応答性の点では先に述べた熱線式流量計に比較して劣っている。
【０００５】
超音波流量計の応答性を低下させている原因として、「超音波を照射した際に管内に超音波の残響が生じるので、次に超音波を照射する時は、この残響が消失するまで待たざるを得ない」ことが挙げられる。
すなわち、計測の繰り返し周期が長くなるので、応答性が劣化する。
【０００６】
また、産業用の超音波流量計では、超音波送受波器を電気的に駆動して超音波を放射する場合、送信回路から大きな電圧のインパルス信号やステップ信号を加えて送波しているのが一般的である。
その場合、次に超音波送受波器を駆動するためには、一定時間回路を待機させる必要がある。その時間は、駆動した後に電圧が元に戻るのに要する時間である。
これは、特に受信信号のベースライン復帰時間（受信信号のゼロ復帰）と言われている。
すなわち、最低でもこの時間だけは次の送信を待たざるを得ないので、これも繰り返し周期を長くし、応答性を劣化させる原因となっている。
【０００７】
また、超音波流量計では、１組の送受信回路を、あるときは上流側の送受波器を駆動し下流側の送受波器からの信号を受信し、またあるときは下流側の送受波器を駆動し上流側の送受波器からの信号を受信するというように切り替えて使用するために、受信回路を送受波器の直後に設置することはしなかった。
そのため、送受波器の高いインピーダンスで得られた信号が信号線を伝搬するので、外部ノイズの影響を受け易かった。
さらに、一対の送受波器に感度差があったとしても、送受信回路は１組なので、その差を調整することもできなかった。これらは、いずれも誤差を生ずる原因の１つになっていた。
【０００８】
次に、人工呼吸器用流量計は、吸気流量、呼気流量ともに人工呼吸器装置本体の内部で測定していることが多い（特許文献２を参照）。
その場合は、各流量計で測定される流量は、患者の口元から離れた位置で測定されており、途中の損失分をも含んで測定されているので、やや不正確にならざるを得ないという問題も抱えている。
【０００９】
【特許文献１】特開２００６‐２０８１５９号公報
【特許文献２】特表２００６‐５０６７２３号公報
【発明の開示】
【発明が解決しようとする課題】
【００１０】
本発明は、このような人工呼吸器用の管内を流れる気体の流量測定において、超音波式の流量計を採用して、流路内への突出物をなくし圧力損失を少なくすると同時に、応答性の優れた流量計を提供するものである。
また、吸気流量、呼気流量ともに口元に近いところで測定し、より正確な流量測定を可能とするものである。
【課題を解決するための手段】
【００１１】
本発明は、人工呼吸器の呼気または吸気用の配管中に組み込まれる流量計に於いて、
（ａ）測定管流路の上流側と下流側に流路内に突出しないように対向させて配置された一対の超音波送受波器ＳＵ，ＳＤと、
（ｂ）上流側超音波送受波器ＳＵから超音波を流路に放射してから該超音波が下流側超音波送受波器ＳＤに到達するまでの超音波伝搬時間ｔＤと下流側超音波送受波器ＳＤから超音波を流路に放射してから該超音波が上流側超音波送受波器ＳＵに到達するまでの超音波伝搬時間ｔＵとを測定する手段と、
（ｃ）測定された伝搬時間ｔＵ、ｔＤとを用いて流路を流れる流体の流量を算出する手段と、
（ｄ）算出された流量の値を人工呼吸器等に出力する手段とからなり、
（ｅ）かつ対向する一対の超音波送受波器ＳＵ，ＳＤを、互いの超音波送受波面が正対する角度から５°以内の角度δをなすように向かい合わせて配置されたことを特徴とする構造を有する人工呼吸器用流量計とした。
【００１２】
また、
（ａ）超音波送受波器を駆動する送信回路と、超音波送受波器が受信した信号を増幅する受信回路とを２系統設置し、
（ｂ）一方の系統の送信回路ＴＤと受信回路ＲＵは上流側の超音波送受波器ＳＵに接続され、（ｃ）他方の系統の送信回路ＴＵと受信回路ＲＤは下流側の超音波送受波器ＳＤに接続され、（ｄ）送信回路ＴＤ、ＴＵは専ら該超音波送受波器ＳＵ、ＳＤをそれぞれ駆動し、
（ｅ）受信回路ＲＵ、ＲＤは専ら該超音波送受波器ＳＵ、ＳＤからの信号をそれぞれ増幅し、（ｆ）送信回路ＴＤ、ＴＵが超音波送受波器ＳＵ、ＳＤを一定周期で交互にそれぞれを駆動し、
（ｇ）さらに受信回路ＲＵ、ＲＤを、それぞれ超音波送受波器ＳＵ、ＳＤの一体的直後に設置し、かつそれぞれの受信回路に感度調整機能を付加したことを特徴とする構造を有する人工呼吸器用流量計とした。
【００１３】
さらに、
（ａ）呼気用管路と吸気用管路と患者の気道や口腔に誘導する気道誘導用管路とを分岐する分岐管と、
（ｂ）分岐管内に流路内に突出しないように対向させて配置された二対の超音波送受波器、すなわちＳＩＵ，ＳＩＤおよびＳＥＵ，ＳＥＤと、
（ｃ）二対の超音波送受波器の中で、一方の対は吸気用管路側の超音波送受波器ＳＩＵと気道誘導用管路側の超音波送受波器ＳＩＤとで構成され、
（ｄ）他方の対は呼気用管路側の超音波送受波器ＳＥＤと気道誘導用管路側の超音波送受波器ＳＥＵとで構成され、
（ｅ）それぞれの対で上流側超音波送受波器ＳＩＵ、ＳＥＵから超音波を流路に放射してから該超音波が下流側超音波送受波器ＳＩＤ、ＳＥＤに到達するまでの超音波伝搬時間ｔＩＤ、ｔＥＤと下流側超音波送受波器ＳＩＤ、ＳＥＤから超音波を流路に放射してから該超音波が上流側超音波送受波器ＳＩＵ、ＳＥＵに到達するまでの超音波伝搬時間ｔＩＵ、ｔＥＵとを測定する手段と、
（ｆ）測定された２組の伝搬時間ｔＩＵｔＩＤ、ｔＥＵｔＥＤとを用いて吸気用管路から気道誘導用管路に流れる流体の流量ＱＩと気道誘導用管路から呼気用管路に流れる流体の流量ＱＥを算出する手段と、
（ｇ）求められた流量ＱＩ、ＱＥの値を人工呼吸器等に出力する手段とからなり、
（ｈ）対向する該二対の超音波送受波器ＳＩＵ，ＳＩＤおよびＳＥＵ，ＳＥＤを、互いの超音波送受波面が正対する角度から若干それた角度δをなすように向かい合わせて配置され、
（ｉ）分岐管の位置に流量計を2系統配置し、吸気流量ＱＩと呼気流量ＱＥを口元で同時に測定できることを特徴とする構造を有する人工呼吸器用流量計とした。
【発明の効果】
【００１４】
本発明は、超音波方式を採用し、超音波送受波器を流路内に突出させない構造としたので、超音波送受波器が呼気によって汚れたり細菌が付着したりすることもなく、同時に圧力損失も著しく少なくすることができる。
【００１５】
また、対向する一対の超音波送受波器を正対する位置から若干ずらして配置することにより、送受信される超音波が超音波送受波器間で多重反射を繰り返さないで残響を低減できる構造としたので、計測の繰り返し周期を短くでき流量測定装置の応答性を改善できる。
【００１６】
また、送信回路と受信回路とを２系統設置し、送信回路ＴＤと受信回路ＲＵは超音波送受波器ＳＵに接続し、送信回路ＴＵと受信回路ＲＤは超音波送受波器ＳＤに接続し、送信回路ＴＤ、ＴＵが超音波送受波器ＳＵ、ＳＤを一定周期で交互にそれぞれを駆動する交互送信方式としたので、一方の送受信系統のベースラインがゼロ復帰する時間のおよそ半分の待ち時間で他方の送受信系統の送信回路で送受波器を駆動できる。
結果として、送信回路駆動のための繰り返し周期を半分にでき、その分だけ応答性を改善できる。
【００１７】
また、受信回路ＲＵ、ＲＤを、それぞれ超音波送受波器ＳＵ、ＳＤの一体的直後に設置したので、出力インピーダンスが高い超音波送受波器から低いインピーダンスに変換して信号を取り出すことが可能となり外部からのノイズの影響を低減できるとともに、かつそれぞれの受信回路に感度調整機能を付加したので、超音波受波器のバラツキによる受信波形の変動に基づく誤差を低減できる。
【００１８】
さらに、呼気用管路と吸気用管路と患者の気道や口腔に誘導する気道誘導用管路とを分岐する分岐管内に二対の超音波送受波器を配置し、これらを用いて吸気用管路から気道誘導用管路に流れる吸気流量ＱＩと気道誘導用管路から呼気用管路に呼気流量ＱＥを求めるようにしたので、より正確な吸気流量と呼気流量を測定できる。
【発明を実施するための最良の形態】
【００１９】
本発明は、人工呼吸器用流量計において、流量測定方式として超音波方式を採用し、超音波送受波器を流路内に突出させない構造の流量測定装置とした。そして、対向する一対の超音波送受波器を正対する位置から若干ずらして配置することにより送受信される超音波が超音波送受波器間で多重反射を多く繰り返さないで、残響を速やかに収束できる構造とした。
また、送受信機を２系統配備し、これらを交互送信することにより繰り返し周期を短くできるようにした。
さらに、超音波送受波器を患者の口元に近い分岐管で二対配置し、吸気流量、呼気流量ともに正確に測定できるようにした。
【実施例１】
【００２０】
本発明の特長を表す流量測定装置のセル部の構造を図１に示す。
図１に示すように、流路は直径Ｄの直管になっており、その上流部と下流部に流路を挟んで対向した位置に一対の超音波送受波器ＳＵ、ＳＤが配置されている。
超音波送受波器を取り付けている測定管と流路は角度θをなして交差している。
一対の超音波送受波器は測定管の奥で正対する位置から５°以内の角度δだけずれて取り付けられている。
超音波が伝搬する距離は流れの存在しない部分の伝搬距離Ｌ１（Ｌ１/２＋Ｌ１/２）と流れが存在する部分の伝搬距離Ｌ０の和となる。
また、Ｘは流れが存在する部分の伝搬距離Ｌ０を流路の軸方向に沿ってとった長さである。
【００２１】
流量測定原理については、図１に示される記号を用いて、下流側の超音波送受波器ＳＤから送信された超音波が上流側の超音波送受波器ＳＵに到達するまでの伝搬時間ｔＵと上流側の超音波送受波器ＳＵから送信された超音波が下流側の超音波送受波器ＳＤに到達するまでの伝搬時間ｔＤとは次のように表される。
【００２２】
【数１】
2009058444.tif 000003
【００２３】
【数２】
2009058444.tif 000004
ここで、ｔＵ'とｔＤ'とを次のように表すこととする。
【００２４】
【数３】
2009058444.tif 000005
【００２５】
【数４】
2009058444.tif 000006
これらを用いて整理すると式は次のように変形される。
2009058444.tif 000007
ここで、（１）〜（４）式を用い、音速Ｃ＝340m/s  が流速Ｖ=１〜5m/s  に比較して相当に大きいことを考慮するとｔＵ'とｔＤ'は近似的に次のように表され
2009058444.tif 000008
流速Ｖは次式で表される。
【００２６】
【数５】
2009058444.tif 000009
ここで、音速Ｃは、流速Ｖ＝０のときの伝搬時間ｔ０から求められ、また音速Ｃが流速Ｖに比較して相当に大きいことを考慮すると、ｔ０を近似的に相加平均でも相乗平均にでも置き換えて良いので、次式で表される。
【００２７】
【数６】
2009058444.tif 000010
（６）式を用いると、流速Ｖは次式で表される。
【００２８】
【数７】
2009058444.tif 000011
したがって、流量Ｑは流速Ｖに管の断面積Ａを乗じて求められる。
【００２９】
【数８】
2009058444.tif 000012
【００３０】
管および測定管の材質は、金属、プラスチックスなど用途によって適切なものを使用する。
超音波送受波器は、圧電材料からなる振動板をケースの前面の壁に固着した構造になっている。
振動板の前面はプラスチックス樹脂で覆われている。
超音波送受波器のリード線は背面から取られており、流量測定装置に接続される。
【００３１】
図２に本発明による流量測定装置の実施例に関する回路ブロック図を示す。
制御部から各種指令信号を出力して回路の各部が動作する。
【００３２】
例えば、制御部内の主同期のトリガ信号により、制御部が駆動用トリガ信号を発信して送信回路ＴＤを動作させ上流側の超音波送受波器ＳＵに駆動電圧入力が加わり流路に超音波が放射される。
この超音波は下流側の超音波送受波器ＳＤに受信され電気信号に変換されて受信回路ＲＤに入力される。
【００３３】
このとき送受信回路は２系統独立になっているので、送信回路ＴＤが上流側の超音波送受波器ＳＵを駆動した際の駆動信号は受信回路ＲＤに入力されることはない。
受信回路ＲＤには下流側の超音波送受波器ＳＤからの信号だけが入力されるので、受信信号のＳＮは良好な状態に保たれる。
【００３４】
また、受信回路ＲＵには上流側の超音波送受波器ＳＵの駆動信号がそのまま入力するが、受信回路内部の前段に設けられたリミッタで一定電圧以下に制限されると同時に、受信回路の入力抵抗と超音波送受波器の静電容量によって決定される時間の時定数によりベースラインは復帰し、受信回路として正常に機能する。
【００３５】
受信回路ＲＤの出力は切換器・比較器を経由して受信パルス信号となり伝播時間測定手段の測時ゲート発生器に入力される。
測時ゲート発生器では制御部から出力された送信回路ＴＤの駆動用トリガ信号と比較器から出力された受信パルス信号を用いて超音波が送波されてから受波されるまでの超音波伝播時間ｔＤに相当する長さを有するゲートパルスを生成し計数器に送る。
計数器は超音波伝播時間ｔＤをデジタル数値に変換し、流量演算手段の演算器に入力する。
【００３６】
次に、先の主同期のトリガ信号から一定周期Ｔ遅れて、制御部が駆動用トリガ信号を発信して送信回路ＴＵを動作させ下流側の超音波送受波器ＳＤに駆動電圧入力が加わり流路に超音波が放射される。
この超音波は上流側の超音波送受波器ＳＵに受信され電気信号に変換されて受信回路ＲＵに入力される。受信回路ＲＵの出力は切換器・比較器を経由して受信パルス信号となり伝播時間測定手段の測時ゲート発生器に入力される。
測時ゲート発生器では制御部から出力された送信回路ＴＵの駆動用トリガ信号と比較器から出力された受信パルス信号を用いて超音波が送波されてから受波されるまでの超音波伝播時間ｔＵに相当する長さを有するゲートパルスを生成し計数器に送る。
計数器は超音波伝播時間ｔＵをデジタル数値に変換し、流量演算手段の演算器に入力する。
【００３７】
本装置では、上で述べたように超音波伝播時間ｔＵとｔＤの測定を一定周期Ｔごとに交互に繰り返しながら行い、演算器にこれらの値を入力する。
演算器では常に新しいｔＵとｔＤの値を用いて、次式の計算を行ってその時々の瞬時流量Ｑを算出する。
Ｑ＝Ｋ１Ａ（Ｌ２/２Ｘ）（ｔＵーｔＤ）/（ｔＵ＊ｔＤ）        (1)
ただし、Ｋ１は流量補正係数、Ａは流路の断面積、Ｌは送受波器間の距離、Ｘは送受波器間の流路軸方向に沿った有効距離である。
ＬとＸは図１中に記号で示されている。Ｋはセル形状と流量に依存し、実験的に求められる。
【００３８】
上で求められた瞬時流量Ｑの値は、周期Ｔごとに更新され、データ出力手段の表示器に表示される。表示器および表示方式は色々なものが用いられるが、横軸が時間で縦軸が流量を示す曲線がＣＲＴなどに表示されるものが一般的である。
また、この周期は数ｍｓと短時間なので、場合によっては時間的に平均化して異常値の影響を受け難くするために平滑化された値を表示することもある。
平滑化の程度は目的や測定環境にしたがって決定される。
【実施例２】
【００３９】
（セルのその他の実施例）
流量測定装置のセル部の構造として他の実施例を図３に示す。
図３に示すように、超音波送受波器ＳＵ、ＳＤが流路の同じ側に設置されており、一方の超音波送受波器から放射された超音波は管の内壁で一度反射してから他の超音波送受波器に受信される構造となっている。
ここでも、一対の超音波送受波器は正対する位置から若干の角度δだけずれた位置に取り付けられている。同様に超音波が伝搬する距離は流れの存在しない部分の伝搬距離Ｌ１（Ｌ１/２＋Ｌ１/２）と流れが存在する部分の伝搬距離Ｌ０の和となる。
また、Ｘは流れが存在する部分の伝搬距離Ｌ０を流路の軸方向に沿ってとった長さである。
このような構造にすることによって、超音波伝搬距離を長くすることが可能となり、結果的に測定精度の向上を期待できる。
【００４０】
図３に示す実施例の場合の瞬時流量Ｑを表す式か次のようになる。
Ｑ＝Ｋ２Ａ（Ｌ２/２Ｘ）（ｔＵーｔＤ）/（ｔＵ＊ｔＤ）        (２)
ただし流量補正係数Ｋ２は（１）式のＫ１とは異なるものとなる。
【実施例３】
【００４１】
（分岐管でＱＩ，ＱＥを測定するためのセルの構造）
分岐管でＱＩ，ＱＥを測定するためのセル構造の実施例を図４に示す。
図４に示すように、吸気管からの入り口内側に超音波送受波器ＳＩＵが配置され、気道管の外側で呼気管側に超音波送受波器ＳＩＤが配置されて吸気流量ＱＩを測定する。
また気道外側で吸気管側に超音波送受波器ＳＥＵが設置され、呼気管への出口内側に超音波送受波器ＳＥＤが配置されて呼気流量ＱＥを測定する。
ここでも、一対の超音波送受波器は正対する位置から若干の角度δだけずれた位置に取り付けられている。
このような構造にすることによって、口元に最も近い位置で吸気流量と呼気流量を同時に測定できる。
【実施例４】
【００４２】
流量測定装置のセル部の構造として別の実施例を図５に示す。
図５に示すように、超音波の伝搬経路の中で、吸気管、呼気管の内部の長さができるだけ長くなるような構造としたものである。
したがって、超音波送受波器ＳＩＵは吸気管の外側に、超音波送受波器ＳＥＤも呼気管の外側に配置される構造となっている。このことによって測定精度の良い方法となることが期待できる。
【図面の簡単な説明】
【００４３】
【図１】本発明の特長を表す流量測定装置のセル部の構造図である。
【図２】本発明による流量測定装置の実施例に関する回路ブロック図である。
【図３】流量測定装置のセル部の構造として他の実施例の構造図である。
【図４】分岐管でＱＩ，ＱＥを測定するためのセル構造の実施例の構造図である。
【図５】流量測定装置のセル部の構造として別の実施例の構造図である。
【図１】
2009058444.tif 000013
【図２】
2009058444.tif 000014
【図３】
2009058444.tif 000015
【図４】
2009058444.tif 000016
【図５】
2009058444.tif 000017